(57)【要約】      （修正有）【課題】片手でテールキャップを回転させることにより、すぐにペン本体内の化粧液をブラシに押出すことができ、使いやすく、漏れにくい回転吐出式液体化粧品容器を提供する。【解決手段】ペン本体３０の前端はペンキャップ１０に外嵌されており、該ペン本体の内部には化粧液を入れる格納スペース３１が設けてあり、該格納スペースの前端はブラシ部品２０が固定されており、前記ペンキャップは該ブラシ部品を外嵌し、前記格納スペース内にはピストン４０が設けてあり、前記ピストンはペン本体の内壁と締まりばめされ、そしてペン本体の内壁に沿って軸方向に動くことができ、該ピストンはスクリュー棒５０と固定接続し、該スクリュー棒には雄ネジが設けてあり、前記スクリューシリンダー６０の内側には雌ネジが設けてあり、前記スクリュー棒は該雌ネジを通ることでそれと回転接続する。【選択図】図１
0003233394.tif 000002
【実用新案登録請求の範囲】
【請求項１】
同軸にセットしたペン本体（３０）と、ピストン（４０）と、スクリュー棒（５０）と、スクリューシリンダー（６０）とを含み、
前記ペン本体（３０）の前端はペンキャップ（１０）に外嵌されており、該ペン本体（３０）の内部には化粧液を入れる格納スペース（３１）が設けてあり、前記格納スペース（３１）の前端にはブラシ部品（２０）が固定されており、前記ペンキャップ（１０）は該ブラシ部品（２０）を外嵌し、前記格納スペース内にはピストン（４０）が設けてあり、前記ピストン（４０）はペン本体（３０）の内壁と締まりばめされ、そしてペン本体の内壁に沿って軸方向に動くことができ、該ピストン（４０）はスクリュー棒（５０）と固定接続し、前記スクリュー棒（５０）には雄ネジ（５１）が設けてあり、前記スクリューシリンダー（６０）の内側は雌ネジ（６４）が設けてあり、前記スクリュー棒（５０）は該雌ネジを通ることでそれと回転接続し、前記スクリューシリンダー（６０）は前記ペン本体（３０）と軸方向に係合し、且つ円周方向に相対回転でき、該スクリューシリンダー（６０）の外側はこれと固定接続したテールキャップ（７０）に外嵌されていることを特徴とする、回転吐出式液体化粧品容器。
【請求項２】
前記スクリューシリンダー（６０）の上端を係合部（６１）、下端を固定部（６２）とし、前記固定部の外側にはいくつもの半径方向外方に突き出た凸リブ（６３）が設けてあり、前記テールキャップ（７０）の内側には凸リブを締め付ける凹溝（７１）が設けてあることを特徴とする、請求項１に記載の回転吐出式液体化粧品容器。
【請求項３】
前記係合部（６１）の内側に一節の雌ネジ（６４）が設けてあり、その外側に少なくとも二本の弾性ツメ（６５）が設けてあり、前記ペン本体（３０）の内側はそれに沿って半径方向内方に突出したツメ車（３２）が設けてあり、前記弾性ツメ（６５）はツメ車（３２）と噛み合い一方向に回転することを特徴とする、請求項２に記載の回転吐出式液体化粧品容器。
【請求項４】
前記係合部（６１）は内層と外層を含み、前記雌ネジ（６４）は内層の内側に配置され、前記弾性ツメ（６５）は外層の外側に配置され、前記内層と外層の間には隙間が設けてあることを特徴とする、請求項３に記載の回転吐出式液体化粧品容器。
【請求項５】
前記スクリュー棒の頭部（５２）は多角形構造とし、前記ピストン（４０）は下端向きに開口した該頭部と同じ構造の挿入溝（４１）を有し、前記スクリュー棒の頭部（５２）は前記挿入溝（４１）内に固定挿入されることを特徴とする、請求項１に記載の回転吐出式液体化粧品容器。
【請求項６】
前記スクリューシリンダー（６０）の中央部分の外側にはそれに沿って半径方向外方に突き出た環状リング（６６）が設けてあり、テールキャップ（７０）上端の内側には該環状リングを格納する環状溝（７２）が設けてあることを特徴とする、請求項１に記載の回転吐出式液体化粧品容器。
【請求項７】
前記ブラシ部品（２０）は前記化粧品液体の格納スペース前端に接続されたブラシシート（２１）、及び該ブラシシートに配置されたブラシ（２２）と該ブラシを外嵌したブラシカバー（２３）を含み、前記ブラシシート（２１）内にはブラシ内部に連通する通路が設けてあることを特徴とする、請求項１に記載の回転吐出式液体化粧品容器。
【請求項８】
前記ペン本体（３０）は前、後ろの両端が開口した中空構造を有し、該ペン本体（３０）前端の直径は他の部分より小さく、前記ペンキャップ（１０）は該前端を外嵌し且つこれと係合接続されることを特徴とする、請求項１に記載の回転吐出式液体化粧品容器。
【考案の詳細な説明】
【技術分野】
【０００１】
本考案は、化粧品容器、特に回転吐出式液体化粧品容器に関する。
【背景技術】
【０００２】
液体化粧ペンは既に人々に広く使用されているが、従来の液体化粧ペンは押出吐出の方法を多く採用している。ペン本体は弾性のある素材を採用し製造されている。化粧が必要な時、ペン本体を押し出すことによって、ペン本体の中の化粧料をペン先に流す。
【考案の概要】
【考案が解決しようとする課題】
【０００３】
しかし、このタイプの化粧ペンは誤操作により化粧料を流出させやすく、材料の無駄を生むだけでなく、他の物も汚しやすい。
【０００４】
そのため、回転式化粧ペンが登場したが、従来の技術で回転させると化粧ペンのピストンが使用時にテール軸と一緒に回転し、これによりピストンとテール軸の間に隙間ができやすく、液体化粧料が漏れやすくなる。
【０００５】
以上の欠点を克服する為、本考案は回転吐出式液体化粧品容器を提供し、該化粧品容器の使用時、ピストンは一方向のみ上向きに動き、回転しないことで、ピストンとペン本体の密閉性が保証された。
【課題を解決するための手段】
【０００６】
本考案である、その技術的な問題を解決するために採用された技術案は、
回転吐出式液体化粧品容器は、同軸にセットしたペン本体、ピストン、スクリュー棒とスクリューシリンダーを含み、前記ペン本体の前端はペンキャップに外嵌されており、該ペン本体の内部には化粧液を入れる格納スペースが設けてあり、該格納スペースの前端はブラシ部品が固定されており、前記ペンキャップはブラシ部品を外嵌し、前記格納スペース内にはピストンが設けてあり、前記ピストンはペン本体の内壁と締まりばめされており、そしてペン本体の内壁に沿って軸方向に動くことができ、該ピストンはスクリュー棒と固定接続し、該スクリュー棒には雄ネジが設けてあり、前記スクリューシリンダーの内側には雌ネジが設けてあり、前記スクリュー棒は該雌ネジを通ることでそれと回転接続し、前記スクリューシリンダーは前記ペン本体と軸方向に係合し、且つ円周方向に相対回転でき、該スクリューシリンダーの外側はこれと固定接続したテールキャップに外嵌されている。
【０００７】
好ましくは、前記スクリューシリンダーの上端を係合部、下端を固定部とし、前記固定部の外側にはいくつもの半径方向外方に突き出た凸リブが設けてあり、前記テールキャップの内側には凸リブを締め付ける凹溝が設けてある。
【０００８】
好ましくは、前記係合部の内側に一節の雌ネジが設けてあり、その外側に少なくとも二本の弾性ツメが設けてあり、前記ペン本体の内側はそれに沿って半径方向内方に突出したツメ車が設けてあり、前記弾性ツメはツメ車と噛み合い一方向に回転する。
【０００９】
好ましくは、前記係合部は内層と外層を含み、前記雌ネジは内層の内側に配置され、前記弾性ツメは外層の外側に配置され、前記内層と外層の間には隙間がある。
【００１０】
好ましくは、前記スクリュー棒の頭部は多角形構造とし、前記ピストンは下端向きに開口した該頭部と同じ構造の挿入溝を有し、前記スクリュー棒の頭部は前記の挿入溝内に固定挿入される。
【００１１】
好ましくは、前記スクリューシリンダーの中央部分の外側にはそれに沿って半径方向外方に突き出た環状リングが設けてあり、テールキャップ上端の内側には該環状リングを格納する環状溝が設けてある。
【００１２】
好ましくは、前記ブラシ部品は前記化粧品液体の格納スペース前端に接続されたブラシシート、及び該ブラシシートに配置されたブラシと該ブラシを外嵌したブラシカバーを含み、前記ブラシシート内にはブラシ内部に連通する通路が設けてある。
【００１３】
好ましくは、前記ペン本体は前、後ろの両端が開口した中空構造を有し、前記ペン本体前端の直径は他の部分より小さく、前記ペンキャップは該前端を外嵌し且つこれと係合接続する。
【考案の効果】
【００１４】
本考案におけるペン本体前端はブラシ部品を固定接続し、中端の格納スペース内には化粧液が入れてあり、格納スペースの後端にピストンが設けてあり、ブラシ部品、ペン本体の側壁とピストンは化粧液を保管するための密閉された空間を形成し、ピストンの下端はスクリュー棒を固定接続し、スクリュー棒の外側はスクリューシリンダーに外嵌されており、スクリュー棒とスクリューシリンダーは互いにねじ込まれており、スクリューシリンダーの上端はペン本体の下端と軸方向に固定されているが、相対回転することができ、スクリューシリンダーの下端はテールキャップと固定接続している。
【００１５】
本考案は片手でテールキャップを回転させることにより、すぐにペン本体内の化粧液をブラシに押出すことができ、使いやすく、操作も簡単で、且つピストンをペン本体内側に締まりばめすることで、他の漏れ防止部品を加えることなく化粧液が漏れないことを保証する。
【００１６】
弾性ツメをスクリューシリンダーにセットし、またツメ車をペン本体にセットすることで、本化粧品容器の付属品を減らし、両者を噛み合わせて一方向に回転するようにセットし、使用者が逆方向に回転させることで該化粧品容器がスムーズに吐出できない問題を引き起こすことを回避することができる。
【００１７】
使用時にピストンは一方向のみ上向きに動き、また回転を発生させない。これにより、ピストンとペン本体の密閉性を保証した。
【図面の簡単な説明】
【００１８】
【図１】本考案に係る構造を示す図である。
【図２】本考案におけるペンキャップの構造を示す図である。
【図３】本考案におけるブラシ部品の構造を示す図である。
【図４】本考案におけるペン本体の構造を示す図である。
【図５】本考案におけるペン本体の断面構造図である。
【図６】図５におけるＡ−Ａに沿った箇所の断面図である。
【図７】本考案におけるピストンの構造を示す図である。
【図８】本考案におけるピストンの断面構造図である。
【図９】本考案におけるピストンの上面図である。
【図１０】本考案におけるスクリュー棒の構造を示す図である。
【図１１】本考案におけるスクリュー棒の上面図である。
【図１２】本考案におけるスクリューシリンダーの構造を示す図である。
【図１３】本考案におけるスクリューシリンダーの断面構造図である。
【図１４】図１２におけるＢ−Ｂに沿った箇所の断面図である。
【図１５】本考案におけるテールキャップの構造を示す図である。
【図１６】本考案におけるテールキャップの断面構造図である。
【図１７】本考案に係る使用プロセスを示す図である。
【図１８】図１７におけるＣ−Ｃに沿った箇所の断面図である。
【考案を実施するための形態】
【００１９】
以下は、本考案を実施するための形態であり、本考案の実施形態における技術案を明確かつ完全に説明するものである。明確には、説明する実施形態は本考案の実施形態の一部に過ぎず、すべての実施形態ではない。本考案における実施形態に基づき、当技術分野の一般技術者が創造的労働なしに得られるすべての其の他の実施形態はみな、本考案の保護範囲に属する。
【００２０】
（実施の形態１）
図１−１８に示すように、回転吐出式液体化粧品容器は、同軸にセットしたペン本体３０、ピストン４０、スクリュー棒５０とスクリューシリンダー６０を含み、前記ペン本体３０の前端はペンキャップ１０に外嵌されており、該ペン本体３０の内部には化粧液を入れる格納スペース３１が設けてあり、該格納スペース３１の前端はブラシ部品２０が固定されており、前記ペンキャップ１０は該ブラシ部品２０を外嵌し、前記格納スペース内にはピストン４０が設けてあり、前記ピストン４０はペン本体３０の内壁と締まりばめされ、そしてペン本体の内壁に沿って軸方向に動くことができ、該ピストン４０はスクリュー棒５０と固定接続し、該スクリュー棒５０には雄ネジ５１が設けてあり、前記スクリューシリンダー６０の内側には雌ネジ６４が設けてあり、前記スクリュー棒５０は該雌ネジを通ることでそれと回転接続し、前記スクリューシリンダー６０は前記ペン本体３０と軸方向に係合し、且つ円周方向に相対回転でき、該スクリューシリンダー６０の外側はこれと固定接続したテールキャップ７０に外嵌されている。前記ペン本体３０は前、後ろの両端が開口した中空構造を有し、前記ペン本体３０前端の直径は他の部分より小さく、前記ペンキャップ１０は該前端を外嵌し且つこれと係合接続する。本考案におけるペン本体３０前端はブラシ部品２０を固定接続し、中端の格納スペース内には化粧液が入れてあり、格納スペース後端には弾性を有するピストン４０が設けてあり、ブラシ部品、ペン本体側壁とピストンは化粧液を保管するための密閉された空間を形成し、ブラシ部品２０の上はペンキャップ１０に外嵌され、ピストンの下端はスクリュー棒５０を固定接続し、スクリュー棒の外側はスクリューシリンダー６０に外嵌され、スクリュー棒とスクリューシリンダーは互いにねじ込まれており、スクリューシリンダー６０の上端はペン本体の下端と軸方向に固定されるが相対回転することができ、スクリューシリンダー６０の下端はペン本体より突き出ており且つテールキャップ７０と固定接続し、使用時、消費者がペンキャップ１０を外して反時計回りにテールキャップ７０を回転させると、テールキャップはスクリューシリンダー６０を連動させて一緒に回転し、スクリュー棒５０はスクリューシリンダーの駆動下でピストン４０を連動させてペン本体の前端へ動き、ピストンが化粧液を押し出すことで化粧液をブラシに流して化粧用に供する。本考案は片手でテールキャップを回転させることにより、すぐにペン本体内の化粧液をブラシに押出すことができ、使いやすく、操作も簡単で、且つピストンをペン本体内側と締まりばめすることで、他の漏れ防止部品を加えることなく化粧液が漏れないことを保証する。
【００２１】
（実施の形態２）
７図と図１０に示すように、前記スクリュー棒の頭部５２は多角形構造とし、前記ピストン４０は下端向きに開口した該頭部と同じ構造の挿入溝４１を有し、前記スクリュー棒の頭部５２は前記の挿入溝４１内に固定挿入される。前記ブラシ部品２０は前記化粧品液体の格納スペース前端に接続されたブラシシート２１、及び該ブラシシートに配置されたブラシ２２と該ブラシを外嵌したブラシカバー２３を含み、前記ブラシシート２１内にはブラシ内部に連通する通路が設けてある。該ブラシはフロック加工品またはスポンジなどをセットすることもでき、使用者の異なる要求を満足させることが可能である。
【００２２】
（実施の形態３）
図１２−１４に示すように、前記スクリューシリンダー６０の上端を係合部６１、下端を固定部６２とし、前記固定部の外側にはいくつもの半径方向外方に突き出た凸リブ６３が設けてあり、前記テールキャップ７０の内側には凸リブを締め付ける凹溝７１が設けてある。前記係合部６１の内側に一節の雌ネジ６４が設けてあり、その外側に少なくとも二本の弾性ツメ６５が設けてある。前記ペン本体３０の内側はそれに沿って半径方向内方に突出したツメ車３２が設けてあり、前記弾性ツメ６５はツメ車３２と噛み合い一方向に回転する。弾性ツメをスクリューシリンダーにセットし、またツメ車３２をペン本体にセットすることで、本化粧品容器の付属品を減らし、両者を噛み合わせて一方向に回転するようにセットし、使用者が逆方向に回転させることで該化粧品容器がスムーズに吐出できない問題を引き起こすことを回避することができる。前記係合部６１は内層と外層を含み、前記雌ネジ６４は内層の内側に配置され、前記弾性ツメ６５は外層の外側に配置され、前記内層と外層の間には隙間が設けてある。この構造を採用することでスクリューシリンダー６０が回転する過程における弾性ツメの弾性変形機能を強化し、スクリューシリンダーをスムーズに回転させ、位置付けることができるようにした。前記スクリューシリンダー６０の中央部分の外側にはそれに沿って半径方向外方に突き出た環状リング６６が設けてあり、テールキャップ７０上端の内側には該環状リングを格納する環状溝７２が設けてある。
【００２３】
本考案の操作プロセスは、図１７に示すように、図中の直線矢印は操作の流れを表しており、曲線矢印はテールキャップ７０とスクリューシリンダーの回転方向を表している。使用時、消費者がペンキャップ１０を外して反時計回りにテールキャップ７０を回転させると、テールキャップはスクリューシリンダー６０を連動させて一緒に回転し、スクリュー棒５０がスクリューシリンダーの駆動下でピストン４０を連動させてペン本体の前端へ動き、ピストンが化粧液を押し出すことで化粧液をブラシに流して化粧用に供し、化粧が完了した後はペンキャップを被せればよい。
【００２４】
留意されるべきは、本分野の一般技術者にとって、本考案の要旨を逸脱しないことを前提に、若干の変形や改良をすることができ、これらはみな本考案の保護範囲に属する。これにより、本考案の保護範囲は以下の請求項に準ずる。
【符号の説明】
【００２５】
１０  ペンキャップ
２０  ブラシ部品
２１  ブラシシート
２２  ブラシ
２３  ブラシカバー
３０  ペン本体
３１  格納スペース
３２  ツメ車
４０  ピストン
４１  挿入溝
５０  スクリュー棒
５１  雄ネジ
５２  頭部
６０  スクリューシリンダー
６１  係合部
６２  固定部
６３  凸リブ
６４  雌ネジ
６５  弾性ツメ
６６  環状リング
７０  テールキャップ
７１  凹溝
７２  環状溝
【図１】
0003233394.tif 000003
【図２】
0003233394.tif 000004
【図３】
0003233394.tif 000005
【図４】
0003233394.tif 000006
【図５】
0003233394.tif 000007
【図６】
0003233394.tif 000008
【図７】
0003233394.tif 000009
【図８】
0003233394.tif 000010
【図９】
0003233394.tif 000011
【図１０】
0003233394.tif 000012
【図１１】
0003233394.tif 000013
【図１２】
0003233394.tif 000014
【図１３】
0003233394.tif 000015
【図１４】
0003233394.tif 000016
【図１５】
0003233394.tif 000017
【図１６】
0003233394.tif 000018
【図１７】
0003233394.tif 000019
【図１８】
0003233394.tif 000020